(57)【要約】      （修正有）【課題】缶バッジを収納した状態で缶バッジの装飾面を隠蔽あるいは視認可能とする缶バッジケースを提供する。【解決手段】缶バッジを収納する缶バッジケース１０であって、この缶バッジケース１０の表面１０ａには缶バッジ装飾面を視認可能な透明窓１０ｃが設けられている。そして缶バッジケース１０の表面には非透明な扉１８が開閉可能に装着されている。缶バッジケース１０は樹脂薄膜から成り、裏面１０ｂに缶バッジの取り出し口が設けられている。【選択図】図１
0003234090.tif 000002
【実用新案登録請求の範囲】
【請求項１】
内部に缶バッジを収納可能な軟質部材から成る缶バッジケースであって、
缶バッジケースの表面には内部の缶バッジ装飾面を視認可能な透明窓が設けられ、
缶バッジケースには缶バッジケースに缶バッジを出し入れ可能な取出し口が設けられ、
缶バッジケースの表面には、開閉可能な扉が装着されている、
ことを特徴とする缶バッジケース。
【請求項２】
請求項１記載の缶バッジケースにおいて、
缶バッジケースは少なくとも一方の左右端面が直線状に形成され、
前記直線状の端面に缶バッジケースの表面に設けられた透明窓を開閉する扉が一体に固定形成されている、
ことを特徴とする缶バッジケース。
【請求項３】
請求項１記載の缶バッジケースにおいて
缶バッジケースは左右両端面が直線状に形成され、
前記直線状の両端面に缶バッジケースの表面に設けられた透明窓を開閉する左右扉が一体に固定形成されている、
ことを特徴とする缶バッジケース。
【請求項４】
請求項１に記載の缶バッジケースにおいて、
缶バッジケースはほぼ円形状であり、
円形状の扉の上端の一部が缶バッジケースの上端に固定され、
扉を持ち上げると缶バッジケースの透明窓を視認可能とする、
ことを特徴とする缶バッジケース。
【考案の詳細な説明】
【技術分野】
【０００１】
本考案は缶バッジケース、特に内部に収納した缶バッジを保護し、必要に応じて缶バッジの装飾面を隠蔽あるいは視認可能とする改良された缶バッジケースに関するものである。
【背景技術】
【０００２】
携帯可能な装飾品として缶バッジが広く用いられ、使用者の衣服あるいはバッグなどに装着され、装飾面としての模様、絵、写真などを選ぶことにより使用者の好みに合わせた装飾効果を容易に得ることができる。
【０００３】
このような缶バッジを保管あるいは移動する場合には、缶バッジを缶バッジ保護カバーに収納することが一般的である。このような保護カバーは各種の形態で多数販売され、使用者が容易に自己の缶バッジに合わせて購入することができる。
【０００４】
通常の場合、缶バッジ保護カバーは透明な円形ケースから成り、表面と裏面の周囲を貼り合わせ上部周囲に開口を設けることによって缶バッジを保護カバーに挿入しあるいは取り出すことができる。
【０００５】
従来の保護カバーでは、全体が透明なカバーから成るので、使用者あるいは周囲の人にも缶バッジの装飾面を容易に視認することができる。
【先行技術】
【０００６】
各種販売されている透明な円形缶バッジ保護カバー
【考案の概要】
【考案が解決しようとする課題】
【０００７】
従来の缶バッジ保護カバーは前述したように、缶バッジの保護が主たる目的であったが、最近のように缶バッジの装飾図柄が極めて魅力的な装飾面を構成してくると、使用者は、この装飾面を必要に応じて隠蔽しあるいは視認可能とすることを好むようになってきた。
【０００８】
これらの装飾面は、アニメの登場人物あるいはスポーツチーム、スポーツ選手、などとして広く人気のある装飾図柄に及んでおり、缶バッジカバーの使い方として、このような図柄を通常は隠蔽しており、これを仲間内などでは互いに見せ合い比較するような社会性のある携帯装飾品として使われるようになってきた。
【課題を解決するための手段】
【０００９】
上記課題を解決するために、本考案は
内部に缶バッジを収納可能な軟質部材から成る缶バッジケースであって、
缶バッジケースの表面には内部の缶バッジ装飾面を視認可能な透明窓が設けられ、
缶バッジケースには缶バッジケースに缶バッジを出し入れ可能な取出し口が設けられ、
缶バッジケースの表面には、開閉可能な扉が装着されている、
ことを特徴とする。
【００１０】
本考案によれば、扉の開閉によって、缶バッジケースに収納した缶バッジの装飾面を自由に隠蔽あるいは視認可能とすることができる。
【００１１】
本考案は、更に
缶バッジケースは少なくとも一方の左右端面が直線状に形成され、
前記直線状の端面に缶バッジケースの表面に設けられた透明窓を開閉する扉が一体に固定形成されている、
ことを特徴とする。
【００１２】
本考案によれば、透明窓を開閉する扉を一体成形ヒンジで缶バッジケースの表面に一体固定することができる。
【００１３】
本考案によれば、更に
缶バッジケースは左右両端面が直線状に形成され、
前記直線状の両端面に缶バッジケースの表面に設けられた透明窓を開閉する左右扉が一体に固定形成されている、
ことを特徴とする。
【００１４】
本考案において、透明窓を開閉する扉は両開き扉とすることができる。
【００１５】
本考案によれば
缶バッジケースはほぼ円形状であり、
円形状の扉の上端の一部が缶バッジケースの上端に固定され、
扉を持ち上げると缶バッジケースの透明窓を視認可能とする、
ことを特徴とする。
【００１６】
本考案の扉は左右開きばかりでなく上下開きとすることができる。
【考案の効果】
【００１７】
本考案によれば、缶バッジを収納した状態で任意に缶バッジの装飾面を隠蔽あるいは視認状態とすることができる。
【図面の簡単な説明】
【００１８】
【図１】本考案の第１実施形態を示す扉を開放した状態の正面図である。
【図２】第１実施形態の缶バッジケースの扉を閉めた状態の背面図である。
【図３】第１実施形態の扉を閉めた状態を示す正面図である。
【図４】本考案の第２実施形態を示す一方の扉のみを閉じた状態を示す正面図である。
【図５】第２実施形態の両扉を開いた状態を示す背面図である。
【図６】第２実施形態の両扉を閉じた状態を示す正面図である。
【図７】本考案の第３実施形態を示す扉を開いた状態の斜視図である。
【考案を実施するための形態】
【００１９】
図１には本考案にかかる缶バッジケース１０の好適な実施形態が示され、この缶バッジケース１０は内部に缶バッジを収納可能な円型状から成り、その表面１０ａと裏面１０ｂとはそれらの全周端が張り合わされ、内部空間に缶バッジが収納可能である。缶バッジケース１０の裏面１０ｂと表面１０ａの外周は非透明の樹脂薄膜から成り、内部の缶バッジを視認することはできない。そして、表面１０ａの内周円形部分１０ｃは表面１０ａの外周部分と一体に設けられた樹脂薄膜から成り、この円形部分１０ｃは外部から視認可能な透明窓を形成している。したがって、使用者はこの透明窓１０ｃを通して内部の缶バッジ装飾面を視認することができる。
【００２０】
本考案において、缶バッジケース１０は、全面透明の樹脂薄膜から形成しても良い。
【００２１】
図２には図示した実施形態の缶バッジケースを裏から見た背面図であり、この裏面１０ｂには缶バッジケース１０に缶バッジを出し入れ可能な取り出し口１２が設けられている。
【００２２】
図示した実施形態において、前記取り出し口１２には裏面１０ｂに設けられたＵ字状の切り込み１４と、この切り込み１４の中央部に設けられた開き口１６が設けられている。したがって、使用者は爪などにより前記開き口１６から裏面１０ｂの一部を引き起こし、これによって裏面１０ｂが開口した取り出し口１２から缶バッジの挿入あるいは取り出しを容易に行うことができる。
【００２３】
缶バッジケース１０の図１右端には直線状ヒンジ部１０ｄが形成され、この直線状ヒンジ部１０ｄには缶バッジケースの表面１０ａに設けられた透明窓１０ｃを開閉する扉１８が前記ヒンジ部１０ｄにより開閉自在に取り付けられている。
【００２４】
直線状ヒンジ部１０ｄは扉１８と一体成形され、具体的には、図３に示されるように、缶バッジケース１０の表面１０ａの右端１０ｅと扉１８の右端１８ａとは接着固定されている。そして、一体成形ヒンジ部１０ｄは表面１０ａあるいは扉１８の膜厚より薄く形成され、この結果、一体成形ヒンジ部１０ｄを回転軸として扉１８は表面１０ａに対して自由に開閉することが可能となる。
【００２５】
前述した図２には扉１８が表面１０ａに重なり、裏から見えなくなっている状態を示す。
【００２６】
表面１０ａの左端および扉１８の右端にはそれぞれマジックテープ（登録商標）２０、２２が接着固定されており、扉１８の表面１０ａに対する開閉を自由に行うことができる。
【００２７】
実施形態において扉１８は非透明な樹脂薄膜から成り、この結果、図３に示すように、扉１８を閉めたときには、外部から缶バッジケース１０内に収納されている缶バッジの装飾面を視認することはできない。一方、扉１８を開けば、使用者あるいはその友人等の仲間は透明窓１０ｃから内部の缶バッジの装飾面を自由に鑑賞することができる。
【００２８】
缶バッジケース１０の上面には表面１０ａ及び裏面１０ｂから上部に突出した掛け留め部２４が設けられ、この掛け留め部２４に設けられた留め孔２４ａを用いて缶バッジケース１０を壁等に掛け留めることが可能である。
【００２９】
図４には本考案の第２実施形態が示され、図４は一方の扉を閉じた正面図、図６は両方の扉を閉じた正面図、そして図５は扉を開いた状態の背面図を示す。
【００３０】
第２実施形態では、前述した第１実施形態と対応する部材には符号１００を加えて示す。以下に於いては第２実施形態で特徴的な構造のみを説明する。
【００３１】
第２実施形態の缶バッジケース１１０は内部に収納する缶バッジがブック型であるので、缶バッジケース１１０自体も全体としてブック型の形状から成る。
【００３２】
缶バッジを内部に収納する構造は第１実施形態と同様に取り出し口１１２が缶バッジケース１１０の裏面１１０ｂに設けられている。
【００３３】
本実施形態で特徴的なことは、缶バッジケース１１０の透明窓１１０ｃを開閉する扉が両開き扉１１８−１、１１８−２から成ることである。このために、缶バッジケース１１０の左右両端面は直線状ヒンジ部１１０ｄ−１、１１０ｄ−２に形成され、これらの直線状ヒンジ部１１０ｄ−１、１１０ｄ−２に缶バッジケース１１０の表面１１０ａに設けられた透明窓１１０ｃを開閉する２枚の扉１１８−１、１１８−２が開閉自在に連結されている。第１実施形態と同様に、各扉１１８の回転固定軸には一体成形ヒンジが設けられている。
【００３４】
一方の扉１１８−１には凸部３２が設けられ、また、他方の１１８−２には前記凸部３２と対応する位置に開口３０が設けられ、凸部３２を開口３０に差し込むことで両扉１１８が閉じられる。
【００３５】
このように、第２実施形態においても、扉１１８を閉じれば、内部に収納している缶バッジの装飾面を外部から視認することはできず、使用者は移動中などであっても自己のお気に入りの缶バッジを他者から隠蔽することが可能となる。
【００３６】
そして、使用者が自室で寛ぐ場合あるいは友人等の気の合った仲間と楽しむときには自分の自慢する缶バッジを缶バッジケースの扉を開けて見せることができ、自らの楽しみを倍加することができる。
【００３７】
図７には本考案の第３の実施形態が示され、第１実施形態と対応する部材には符号２００を加えて示し説明を省略する。第３実施形態においては、缶バッジケース２１０はほぼ円形状であり、その透明窓２１０ｃを開閉するために扉２１８が設けられている。扉２１８は缶バッジケース２１０の表面２１０ａをほぼ全面に覆う大きさをもった非透明な樹脂薄膜から成る。そして、円形状の扉２１８の上端の一部２１８ａが缶バッジケース２１０の上端に固定されている。扉２１８の直線状の固定端は一体成形ヒンジ２１０ｄを形成し、扉２１８はこの一体成形ヒンジ２１０ｄを回転中心として容易に開閉することができる。
【００３８】
この結果、第３実施形態においても、通常隠蔽されている内部に収納した缶バッジの装飾面を扉の開放によって容易に視認可能とすることができる。
【符号の説明】
【００３９】
１０、１１０、２１０  缶バッジケース、
１０ａ、１１０ａ、２１０ａ  表面、
１０ｂ、１１０ｂ  裏面、
１０ｃ、１１０ｃ、２１０ｃ  透明窓、
１０ｄ、１１０ｄ、２１０ｄ  直線状（一体成形）ヒンジ部、
１２、１１２  取り出し口、
１８、１１８、２１８  扉。
【図１】
0003234090.tif 000003
【図２】
0003234090.tif 000004
【図３】
0003234090.tif 000005
【図４】
0003234090.tif 000006
【図５】
0003234090.tif 000007
【図６】
0003234090.tif 000008
【図７】
0003234090.tif 000009